(57)【要約】【課題】異なる組成比の天然ガスの切替に伴う熱量の変動を抑制できる燃焼制御方法を提供する。【解決手段】連続運転している燃焼器に供給する燃料を、第１の天然ガスから、第１の天然ガスと組成比の異なる第２の天然ガスへ切り替える際に行われる燃焼制御方法であって、切り替え時には、第１の天然ガスと第２の天然ガスとを含む混合ガスが燃焼器に供給され、第１の天然ガスの組成比から算出される第１の熱量と、第２の天然ガスの組成比から算出される第２の熱量と、に基づいて、切り替え時の単位時間における混合ガスの熱量の変化量または前記天然ガスを燃焼させたときの対象物の温度の変化量が小さくなるように、切り替え時に変化する混合ガスの組成を制御する工程を有する燃焼制御方法。【選択図】図１
2018031500.tif 000002
【特許請求の範囲】
【請求項１】
連続運転している燃焼器に供給する燃料を、第１の天然ガスから、前記第１の天然ガスと組成比の異なる第２の天然ガスへ切り替える際に行われる燃焼制御方法であって、
切り替え時には、前記第１の天然ガスと前記第２の天然ガスとを含む混合ガスが前記燃焼器に供給され、
前記第１の天然ガスの組成比から算出される第１の熱量と、前記第２の天然ガスの組成比から算出される第２の熱量と、に基づいて、切り替え時の単位時間における前記混合ガスの熱量の変化量または前記天然ガスを燃焼させたときの対象物の温度の変化量が小さくなるように、切り替え時に変化する前記混合ガスの組成を制御する工程を有する燃焼制御方法。
【請求項２】
前記混合ガスの組成を制御する工程では、前記第１の天然ガスから前記第２の天然ガスへの切り替え時間を制御することで、前記変化量が小さくなるように制御する請求項１に記載の燃焼制御方法。
【請求項３】
前記切り替え時間が５秒より長い請求項２に記載の燃焼制御方法。
【請求項４】
前記混合ガスの組成を制御する工程では、前記第１の天然ガスおよび前記第２の天然ガスに、さらに所定の熱量を有する調整ガスを混合して前記混合ガスとすることで、前記変化量が小さくなるように制御する請求項１から３のいずれか１項に記載の燃焼制御方法。
【請求項５】
前記調整ガスは、不活性ガス、メタンまたはプロパンである請求項４に記載の燃焼制御方法。
【請求項６】
前記第１の天然ガス、メタン、エタンおよびプロパンの密度と、前記第１の天然ガス、メタン、エタンおよびプロパンの熱量とから、前記第１の天然ガスが、メタン、エタンおよびプロパンの３成分のみからなることとして近似したときの第１近似組成比を算出し、
前記第２の天然ガス、メタン、エタンおよびプロパンの密度と、前記第２の天然ガス、メタン、エタンおよびプロパンの熱量とから、前記第２の天然ガスが、メタン、エタンおよびプロパンの３成分のみからなることとして近似したときの第２近似組成比を算出して、
前記第１近似組成比から算出される前記第１の熱量と、前記第２近似組成比から算出される前記第２の熱量と、に基づいて、前記変化量が小さくなるように前記調整ガスの混合量を制御する請求項４または５に記載の燃焼制御方法。
【請求項７】
連続運転している燃焼器に供給する燃料を、第１の天然ガスから、前記第１の天然ガスと組成比の異なる第２の天然ガスへ切り替える際に行われる燃焼制御方法であって、
切り替え時には、前記第１の天然ガスと前記第２の天然ガスとを含む混合ガスが前記燃焼器に供給され、
前記第１の天然ガスの組成比から算出される第１の熱量と、前記第２の天然ガスの組成比から算出される第２の熱量と、に基づいて、切り替え時の単位時間における前記混合ガスの熱量の変化量または前記天然ガスを燃焼させたときの対象物の温度の変化量が小さくなるように、前記天然ガスの供給量を制御する工程を有する燃焼制御方法。
【請求項８】
前記第１の天然ガスおよび前記第２の天然ガスは、経時的な組成変化を伴い、
前記第１の熱量として、前記経時的な組成変化から予測される切り替え時の前記第１の天然ガスの組成比から算出した値を用い、
前記第２の熱量として、前記経時的な組成変化から予測される切り替え時の前記第２の天然ガスの組成比から算出した値を用いる請求項１から７のいずれか１項に記載の燃焼制御方法。
【発明の詳細な説明】
【技術分野】
【０００１】
本発明は、燃焼制御方法に関するものである。
【背景技術】
【０００２】
近年、環境問題への関心の高まりにより、より低公害な燃焼を可能とする天然ガスが注目されている。天然ガスは、石油や石炭と比べてＣ／Ｈ比が小さく、１モルの天然ガスを燃焼させたときの二酸化炭素の排出量が少ないことが知られている。また、輸送時に天然ガスを液化する際に、Ｎ成分、Ｓ成分が除去されるため、燃焼時のＮＯｘ、ＳＯｘの排出量も少ないことが知られている。
【０００３】
天然ガスは、主成分としてメタン、エタンおよびプロパンを含み、その組成比は産地毎に異なる（非特許文献１）。メタン、エタンおよびプロパンは、燃焼させたときの熱量が異なるため、天然ガスの産地が異なれば（組成比が異なれば）、天然ガスの熱量も異なる。
【先行技術文献】
【非特許文献】
【０００４】
【非特許文献１】「化学便覧  応用化学編Ｉ」、公益社団法人日本化学会、平成７年３月、第５版、ｐ．８３
【発明の概要】
【発明が解決しようとする課題】
【０００５】
従来、工場では燃料として天然ガスが用いられている。通常、天然ガスはタンクなどに貯蔵された状態のものが使用される。このとき、タンクごとに異なる産地（異なる組成比）の天然ガスが貯蔵されていることがあった。しかしながら、連続運転している燃焼器に対して異なる組成比の天然ガスを切り替える際、熱量の変化に伴う不具合が生じることが想定される。具体的には、熱量の小さな天然ガスから熱量の大きな天然ガスに切り替える場合、熱量が急激に増加して火炎が長くなることが想定される。また、熱量の大きな天然ガスから熱量の小さな天然ガスに切り替える場合、熱量が急激に減少して失火することが想定される。そこで、異なる組成比の天然ガスの切替に伴う熱量の変動を抑制できる燃焼制御方法が求められていた。
【０００６】
本発明はこのような事情に鑑みてなされたものであって、異なる組成比の天然ガスの切替に伴う熱量の変動を抑制できる燃焼制御方法を提供することを目的とする。
【課題を解決するための手段】
【０００７】
上記課題を解決するため、本発明の一態様は、連続運転している燃焼器に供給する燃料を、第１の天然ガスから、第１の天然ガスと組成比の異なる第２の天然ガスへ切り替える際に行われる燃焼制御方法であって、切り替え時には、第１の天然ガスと第２の天然ガスとを含む混合ガスが燃焼器に供給され、第１の天然ガスの組成比から算出される第１の熱量と、第２の天然ガスの組成比から算出される第２の熱量と、に基づいて、切り替え時の単位時間における混合ガスの熱量の変化量または前記天然ガスを燃焼させたときの対象物の温度の変化量が小さくなるように、切り替え時に変化する混合ガスの組成を制御する工程を有する燃焼制御方法を提供する。
【０００８】
本発明の一態様においては、混合ガスの組成を制御する工程では、第１の天然ガスから第２の天然ガスへの切り替え時間を制御することで、変化量が小さくなるように制御する方法としてもよい。
【０００９】
本発明の一態様においては、切り替え時間が５秒より長い方法としてもよい。
【００１０】
本発明の一態様においては、混合ガスの組成を制御する工程では、第１の天然ガスおよび第２の天然ガスに、さらに所定の熱量を有する調整ガスを混合して混合ガスとすることで、変化量が小さくなるように制御する方法としてもよい。
【００１１】
本発明の一態様においては、調整ガスは、不活性ガス、メタンまたはプロパンである方法としてもよい。
【００１２】
本発明の一態様においては、第１の天然ガス、メタン、エタンおよびプロパンの密度と、第１の天然ガス、メタン、エタンおよびプロパンの熱量とから、第１の天然ガスが、メタン、エタンおよびプロパンの３成分のみからなることとして近似したときの第１近似組成比を算出し、第２の天然ガス、メタン、エタンおよびプロパンの密度と、第２の天然ガス、メタン、エタンおよびプロパンの熱量とから、第２の天然ガスが、メタン、エタンおよびプロパンの３成分のみからなることとして近似したときの第２近似組成比を算出して、第１近似組成比から算出される第１の熱量と、第２近似組成比から算出される第２の熱量と、に基づいて、変化量が小さくなるように調整ガスの混合量を制御する方法としてもよい。
【００１３】
本発明の一態様は、連続運転している燃焼器に供給する燃料を、第１の天然ガスから、第１の天然ガスと組成比の異なる第２の天然ガスへ切り替える際に行われる燃焼制御方法であって、切り替え時には、第１の天然ガスと第２の天然ガスとを含む混合ガスが燃焼器に供給され、第１の天然ガスの組成比から算出される第１の熱量と、第２の天然ガスの組成比から算出される第２の熱量と、に基づいて、切り替え時の単位時間における混合ガスの熱量の変化量または天然ガスを燃焼させたときの対象物の温度の変化量が小さくなるように、天然ガスの供給量を制御する工程を有する燃焼制御方法を提供する。
【００１４】
本発明の一態様においては、第１の天然ガスおよび第２の天然ガスは、経時的な組成変化を伴い、第１の熱量として、経時的な組成変化から予測される切り替え時の第１の天然ガスの組成比から算出した値を用い、第２の熱量として、経時的な組成変化から予測される切り替え時の第２の天然ガスの組成比から算出した値を用いる方法としてもよい。
【発明の効果】
【００１５】
本発明の一態様によれば、異なる組成比の天然ガスの切替に伴う熱量の変動を抑制できる燃焼制御方法が提供される。
【図面の簡単な説明】
【００１６】
【図１】第１実施形態における異なる組成比の天然ガスの切替に伴うオーバーシュートを模式的に表したグラフである。
【図２】第１実施形態における異なる組成比の天然ガスの切替に伴うアンダーシュートを模式的に表したグラフである。
【図３】第１実施形態における天然ガスの経時的な組成変化に伴う熱量の変動を模式的に表したグラフである。
【発明を実施するための形態】
【００１７】
［第１実施形態］
本実施形態は、燃料として供給される天然ガスの切替時での組成変化に着目し、天然ガスの熱量を制御しようとするものである。通常、天然ガスは、液化されてタンクなどに貯蔵された状態のものが使用される。このとき、タンクごとに異なる産地（異なる組成比）の天然ガスが貯蔵されていることがあった。しかしながら、連続運転している燃焼器に対して異なる組成比の天然ガスを切り替える際、熱量の変化に伴う不具合が生じることが想定される。このように異なる組成比の天然ガスの切替に伴う熱量の変動を模式的に表したグラフを図１に示す。なお、連続運転している燃焼器に対して異なる組成比の天然ガスを切り替える際、天然ガスを燃焼させたときの対象物の温度の変化に伴う不具合が生じることもあるが、ここでの説明は省略し、熱量の変化に伴う不具合についてのみ説明する。
【００１８】
異なる組成比の天然ガスの切替について図１および図２を用いて説明する。図１は、本実施形態における異なる組成比の天然ガスの切替に伴うオーバーシュートを模式的に表したグラフである。図２は、本実施形態における異なる組成比の天然ガスの切替に伴うアンダーシュートを模式的に表したグラフである。
【００１９】
図１および図２では、横軸に時間、縦軸に天然ガスの組成比に基づいて算出される温度を示している。ここでの温度は、天然ガスを燃焼させたときの火炎の温度を意味する。図１および図２に示すように、時間ｔ０からｔ１の間は平均温度がＴＡの天然ガスＡが供給される。一方で、時間ｔ２からｔ３の間は平均温度がＴＢの天然ガスＢが供給される。天然ガスＡから天然ガスＢに切り替え時には、時間ｔ１からｔ２の間、第１の天然ガスと第２の天然ガスとを含む混合ガスが燃焼器に供給される。
【００２０】
図１に示すように、温度ＴＡ＜ＴＢとき、天然ガスＡは、天然ガスＢと比べて組成比から算出される熱量が低い。このとき、切り替え時の単位時間における混合ガス（天然ガスＡ＋天然ガスＢ）の熱量の変化量が大きいほど、温度ＴＢよりも温度が大きくなることがある。このような現象のことを、一般にオーバーシュートという。
【００２１】
一方、図２に示すように、温度ＴＡ＞ＴＢとき、天然ガスＡは、天然ガスＢと比べて組成比から算出される熱量が高い。このとき、切り替え時の単位時間における混合ガスの熱量の変化量が大きいほど、温度ＴＢよりも温度が小さくなることがある。このような現象のことを、一般にアンダーシュートという。
【００２２】
そこで、異なる組成比の天然ガスの切替に伴う熱量の変動を抑制できる燃焼制御方法が求められていた。
【００２３】
以下、本実施形態の燃焼制御方法について説明する。
本実施形態の燃焼制御方法は、連続運転している燃焼器に供給する燃料を、第１の天然ガスから、第１の天然ガスと組成比の異なる第２の天然ガスへ切り替える際に行われるものである。
【００２４】
以下の説明において、図１および図２における天然ガスＡを第１の天然ガス、天然ガスＢを第２の天然ガスとする。本実施形態の燃焼制御方法は、第１の天然ガスの組成比から算出される第１の熱量と、第２の天然ガスの組成比から算出される第２の熱量と、に基づいて、切り替え時の単位時間における混合ガスの熱量の変化量または天然ガスを燃焼させたときの対象物の温度の変化量が小さくなるように、切り替え時に変化する混合ガスの組成を制御する工程を有する。
【００２５】
本発明者らが検討を重ねた結果、混合ガスの熱量の変化量が５秒間あたり３ＭＪ／ｍ３以上であると、オーバーシュートまたはアンダーシュートしやすいことがわかった。そのため、混合ガスの熱量の変化量が５秒間あたり３ＭＪ／ｍ３未満になるように制御することが好ましい。
【００２６】
また、本実施形態において「対象物の温度」は、天然ガスを燃焼させたときの火炎の温度であってもよいし、燃焼器の内部の温度であってもよいし、天然ガスを燃焼させたときの火炎を利用して加熱または燃焼させるものであってもよい。
【００２７】
なお、以下では、燃焼器に供給される熱量の変化量が小さくなるように、切り替え時に変化する混合ガスの組成を制御することについて説明する。
【００２８】
（１）切り替え時間
混合ガスの組成を制御する工程では、第１の天然ガスから第２の天然ガスへの切り替え時間を制御することで、変化量が小さくなるように制御してもよい。本実施形態では、切り替え時間（図１または図２のｔ２−ｔ１）が５秒より長いこととしてもよい。切り替え時間は、５秒以上が好ましく、１０秒以上がより好ましく、２０秒以上がさらに好ましく、それ以上であってもよい。これにより、切り替え時間を十分増大させることができるので、切り替え時の単位時間における混合ガスの熱量の変化量を十分に小さくすることができる。
【００２９】
（２）調整ガスの混合量
また、別の方法としては、混合ガスの組成を制御する工程では、第１の天然ガスおよび第２の天然ガスに、さらに所定の熱量を有する調整ガスを混合して混合ガスとすることで、変化量が小さくなるように制御してもよい。この方法は、単独で行ってもよいし、他の２つ以上の方法と適宜組み合わせて行ってもよい。
【００３０】
所定の熱量を有する調整ガスとしては、例えばメタンまたはプロパンが挙げられる。なお、本実施形態において、所定の熱量を有する調整ガスとしては、所定の熱量は０ＭＪ／ｍ３である不活性ガスを含んでもよい。
【００３１】
一般に、天然ガスは、主成分としてメタン、エタンおよびプロパンを含んでいる。また、メタン、エタンおよびプロパンは、熱量がそれぞれ異なる。燃焼させたときに得られる熱量は、メタンが最も低く、エタン、プロパンの順に熱量が高くなることが知られている。天然ガスに含まれる上記３成分以外の成分は微量であることから、上記３成分の組成比を変えることにより、混合ガスの熱量を調整することが可能である。
【００３２】
調整ガスの選択について具体例を挙げて説明する。
例えば、第２の天然ガスの組成比から算出される第２の熱量が、第１の天然ガスの組成比から算出される第１の熱量と比べて大きい場合、調整ガスとして窒素ガスなどの不活性ガスまたはメタンが好ましく用いられる。
【００３３】
不活性ガスを用いる場合、その熱量は０ＭＪ／ｍ３であるため、第１の天然ガスおよび第２の天然ガスよりも熱量が小さい。一方、メタンを用いる場合、その熱量は、エタンやプロパンのようにメタンよりも熱量の大きい成分を含む第１の天然ガスおよび第２の天然ガスと比べて小さい。したがって、不活性ガスまたはメタンを用いることで、混合ガスの熱量の変化量を小さくすることができる。
【００３４】
一方、第２の天然ガスの組成比から算出される第２の熱量が、第１の天然ガスの組成比から算出される第１の熱量と比べて小さい場合、調整ガスとしてプロパンが好ましく用いられる。
【００３５】
プロパンを用いる場合、その熱量は、メタンやエタンのようにプロパンよりも熱量の小さい成分を含む第１の天然ガスおよび第２の天然ガスと比べて大きい。したがって、プロパンを用いることで、混合ガスの熱量の変化量を小さくすることができる。
【００３６】
（３）近似組成比
本実施形態では、熱量を算出する際に用いる天然ガスの組成比について、分析の結果明らかになる真の組成比を用いてもよいが、近似値を用いてもよい。本発明者らの検討により、天然ガスが、メタン、エタン、プロパンの３成分からなると仮定し、天然ガスに微量含まれるブタンやペンタンについては捨象して天然ガスの組成を近似しても、熱量を計算するにあたっては不具合が生じないことが分かった。
【００３７】
ここで、天然ガスの組成比について、上記３成分のみ考慮した場合と、他の成分を含めた全成分を考量した場合とで、燃焼特性に差が生じるのか検証した。具体的には、公知のソフトウェアを用いて、一般的な天然ガスと、上記３成分の合計を１としたとき、当該天然ガスの上記３成分の割合になるように換算した模擬天然ガスとをそれぞれ計算し、燃焼特性を比較した。その結果、一般的な天然ガスと模擬天然ガスとの間で燃焼特性にほとんど差は見られなかった。
【００３８】
公知のソフトウェアとしては、例えば、株式会社菱化システムが販売している詳細化学反応解析支援ソフトウェア「ＣＨＥＭＫＩＮ−ＰＲＯ」などが挙げられる。計算モデルには、例えば予混合よどみ流火炎モデルを採用し、ガス流量０．８ｍ／秒、温度２９８．１５Ｋ、圧力１０１．３２５ｋＰａ、当量比０．７の条件で計算することができる。なお、当量比とは、実際の燃料および空気の体積比を、理論混合比における燃料および空気の体積比で除した値を指す。
【００３９】
本実施形態では、第１の天然ガスが、メタン、エタンおよびプロパンの３成分のみからなることとして近似したときの第１近似組成比を用いて制御してもよい。同様に、第２の天然ガスが、メタン、エタンおよびプロパンの３成分のみからなることとして近似したときの第２近似組成比を用いて制御してもよい。そして、第１近似組成比から算出される前記第１の熱量と、前記第２近似組成比から算出される前記第２の熱量と、に基づいて、混合ガスの熱量の変化量または前記天然ガスを燃焼させたときの対象物の温度の変化量が小さくなるように、（１）天然ガスの切り替え時間や、（２）調整ガスの混合量を制御することができる。
【００４０】
具体的には、第１の天然ガス、メタン、エタンおよびプロパンの密度と、第１の天然ガス、メタン、エタンおよびプロパンの熱量とから、第１の天然ガスが、メタン、エタンおよびプロパンの３成分のみからなることとして近似したときの第１近似組成比を算出する。同様に、第２の天然ガス、メタン、エタンおよびプロパンの密度と、第２の天然ガス、メタン、エタンおよびプロパンの熱量とから、第２の天然ガスが、メタン、エタンおよびプロパンの３成分のみからなることとして近似したときの第２近似組成比を算出する。第１近似組成比および第２近似組成式は、次の式（Ｓ１）〜（Ｓ３）の連立式に基づいて算出することができる。
【００４１】
ρｆ＝ρ１Ｒ１＋ρ２Ｒ２＋ρ３Ｒ３  （Ｓ１）
〔式（Ｓ１）中、ρ１〜ρ３は、それぞれ、この順にメタン、エタンおよびプロパンの比重を表し、ρｆは、混合ガスが、上記３成分のみからなるとして近似したときの混合ガスの熱量を表す。また、Ｒ１〜Ｒ３は、それぞれ、この順にメタン、エタンおよびプロパンの近似組成比を表す。〕
【００４２】
Ｑｆ＝Ｑ１Ｒ１＋Ｑ２Ｒ２＋Ｑ３Ｒ３  （Ｓ２）
〔式（Ｓ２）中、Ｑ１〜Ｑ３は、それぞれ、この順にメタン、エタンおよびプロパンの熱量を表し、Ｑｆは、混合ガスが、上記３成分のみからなるとして近似したときの混合ガスの熱量を表す。また、Ｒ１〜Ｒ３は上記と同様である。〕
【００４３】
Ｒ１＋Ｒ２＋Ｒ３＝１  （Ｓ３）
〔式（Ｓ３）中、Ｒ１〜Ｒ３は上記と同様である。〕
【００４４】
なお、天然ガスの密度（比重）は、燃焼器（例えば、バーナー）の上流において、ガス密度計を用いて測定される。ガス密度計としては、従来公知のものを用いることが可能であり、例えば横河電機株式会社製の「ＧＤ４００」を使用することができる。なお、本明細書において、燃焼器の上流とは、タンクの出口から燃焼器の出口までの間を指す。天然ガスの測定のしやすさから、具体的に燃焼器の上流とは、タンクの出口または燃焼器の入口であることが好ましい。
【００４５】
以上のように、メタン、エタン、プロパンのみからなる近似組成比を用いると、注目する天然ガスの成分の数が少なくて済むので、天然ガスの熱量の制御が容易となる。
【００４６】
（４）経時的な組成変化
ここで、第１の天然ガスおよび第２の天然ガスは、経時的な組成変化を伴うことがあった。図３は、本実施形態における天然ガスの経時的な組成変化に伴う熱量の変動を模式的に表したグラフである。液化天然ガスをタンクに保管する場合、通常、タンク内で機械的な撹拌を行わないため、タンクの上部では比重が比較的小さいメタンが多く存在しやすく、下部では比重が比較的大きいプロパンが多く存在しやすくなっている。このような現象は、タンク内の液化天然ガスの量が少なくなり、液化天然ガスの一部が気化する際に顕著に確認される。
【００４７】
このようなタンクから天然ガスを流出させる際、比重が比較的大きいプロパンが流出しやすく、比重が比較的小さいメタンが残存しやすい。したがって、切り替え直前のタンクから流出する天然ガスは、天然ガスの平均組成よりもメタンの比率が大きくなっていることが予想される。一方で、切り替え直後のタンクから流出する天然ガスは、天然ガスの平均組成よりもプロパンの比率が大きくなっていることが予想される。
【００４８】
このような場合、切り替え直前の天然ガスは、メタンの比率が大きいので、その熱量は天然ガスの平均熱量よりも低くなっている。そのため、図３に示すように、切り替え直前（時間ｔ１直前）では、平均温度がＴＡの天然ガスＡを供給しているにもかかわらず、温度がＴＡよりも低いＴｃとなることが予想される。
【００４９】
一方で、切り替え直後の天然ガスはプロパンの比率が大きいので、その熱量は天然ガスの平均熱量よりも低くなっている。そのため、図３に示すように、切り替え直後（時間ｔ２直後）では、平均温度がＴＢの天然ガスＢを供給しているにもかかわらず、温度がＴＢよりも高いＴＤとなることが予想される。
【００５０】
このように、燃焼器に供給する天然ガスは、経時的な組成変化を伴うことがあった。また、このような継時的な組成変化に起因して、時間ｔ１から時間ｔ２の間に変化する温度幅が拡大し、オーバーシュートの幅が増加することが想定される。
【００５１】
したがって、経時的な組成変化から予測される切り替え時の第１の天然ガスの組成比および経時的な組成変化から予測される切り替え時の第２の天然ガスの組成比を用いることにより、より正確に異なる組成比の天然ガスの切替に伴う熱量の変動を抑制することができる。
【００５２】
このような事情を顧みて、本実施形態では、第１の熱量として、経時的な組成変化から予測される切り替え時の第１の天然ガスの組成比から算出した値を用い、第２の熱量として、経時的な組成変化から予測される切り替え時の第２の天然ガスの組成比から算出した値を用いることとしてもよい。予測方法としては、特に制限されるものではないが、例えば短期予測法などを用いることができる。
【００５３】
また、本実施形態では、第１の天然ガスおよび第２の天然ガスの周期的な組成変化をさらに考慮して、第１の天然ガスおよび第２の天然ガスの組成比を近似してもよい。
【００５４】
ここで、短期予測法とは、タンクから供給される天然ガスの組成比についての過去の測定値に基づいて、未来の予測値を得る方法を指す。例えば、図１において時間ｔ１までの組成変化を測定したデータがあるとする。このような測定データは、ある程度の周期的な変化は含んでいるとしても、完全には周期的なデータとはなっていない。そこで、このような測定データについてカオス理論に基づいた軌道平行測度法（ＴＰＭ：Ｔｒａｊｅｃｔｏｒｙ  Ｐａｒａｌｌｅｌ  Ｍｅａｓｕｒｅ）により、時間ｔ１以降の近い将来の組成変化を予測することとしてもよい。
【００５５】
また、上述のような測定データに基づいて、周期回帰分析やスペクトル解析を行うことにより測定データの周期回帰曲線を求め、得られる周期回帰曲線の周期に基づいて、近い将来（例えば時間ｔＢ）の組成変化を予測することとしてもよい。
【００５６】
その他、天然ガスの組成比の測定データに基づいて、天然ガスの組成比変化の周期性を近似する解析方法であれば、種々の統計的手法を用いることができる。
【００５７】
以上のような方法によれば、異なる組成比の天然ガスの切替に伴う熱量の変動を抑制することができる。
【００５８】
［第２実施形態］
以下、第２実施形態の燃焼制御方法について説明する。
第２実施形態は、図１および図２における天然ガスＡを第１の天然ガス、天然ガスＢを第２の天然ガスとする点で第１実施形態と共通している。
【００５９】
本実施形態では、第１の天然ガスの組成比から算出される第１の熱量と、第２の天然ガスの組成比から算出される第２の熱量と、に基づいて、切り替え時の単位時間における混合ガスの熱量の変化量または天然ガスを燃焼させたときの対象物の温度の変化量が小さくなるように、天然ガスの供給量を制御する工程を有する。
【００６０】
ここでは、第１の熱量および第２の熱量の説明は省略し、燃焼器に供給される熱量の変化量が小さくなるように、天然ガスの供給量を制御する工程について具体例を挙げて説明する。なお、以下では、燃焼器に供給される熱量の変化量が小さくなるように、天然ガスの供給量を制御することについて説明する。
【００６１】
例えば、当量比が１より小さい場合であって、第２の天然ガスの組成比から算出される第２の熱量が、第１の天然ガスの組成比から算出される第１の熱量と比べて大きい場合、天然ガスの供給量を減少させる。これにより、第２の天然ガスの総熱量が減少する。そのため、図１に示すグラフのＴＢ−ＴＡの値が小さくなり、異なる組成比の天然ガスの切替に伴う熱量の変動が抑えられる。
【００６２】
一方、当量比が１より小さい場合であって、第２の天然ガスの組成比から算出される第２の熱量が、第１の天然ガスの組成比から算出される第１の熱量と比べて小さい場合、天然ガスの供給量を増加させる。これにより、第２の天然ガスの総熱量が増加する。そのため、図２に示すグラフのＴＡ−ＴＢの値が小さくなり、異なる組成比の天然ガスの切替に伴う熱量の変動が抑えられる。
【００６３】
以上のような方法によれば、第２実施形態においても第１実施形態と同様に、異なる組成比の天然ガスの切替に伴う熱量の変動を抑制することができる。
【図１】
2018031500.tif 000003
【図２】
2018031500.tif 000004
【図３】
2018031500.tif 000005